(57)【要約】【課題】  電気機器において、電気回路の冷却に際し、熱を発生する電気回路に電流が流れている場合にのみ、温度上昇に応じて送風部を駆動する。【解決手段】  電気回路を冷却しようとするとき、熱を発生する電気回路の電流を検出し、電気回路が発生した熱を放熱する放熱用ヒートシンクの温度を検出し、検出された電気回路の電流及び放熱用ヒートシンクの温度がそれぞれ予め定めた値以上になったとき送風部を駆動して放熱用ヒートシンクを冷却する。【選択図】  図１
2008177210.tif 000002
【特許請求の範囲】
【請求項１】
熱を発生する電気回路の電流を検出する電流検出部と、
前記電気回路が発生した熱を放熱する放熱用ヒートシンクと、
前記放熱用ヒートシンクの温度を検出する温度検出部と、
前記ヒートシンクを冷却する送風部と、
前記電流検出部が検出した電流及び前記温度検出部が検出した温度が予め定めた値以上になったとき前記送風部を駆動する送風部駆動回路と
を備えたことを特徴とする電気機器。
【請求項２】
電気信号を増幅するアンプ回路に供給される電力の電流を検出する電流検出部と、
前記アンプ回路が発生した熱を放熱する放熱用ヒートシンクと、
前記放熱用ヒートシンクの温度を検出する温度検出部と、
前記ヒートシンクを冷却するファンと、
前記電流検出部が検出した電流及び前記温度検出部が検出した温度が予め定めた値以上になったとき前記ファンを駆動するファン駆動回路と
を備えたことを特徴とする電気機器。
【請求項３】
パワートランジスタのエミッタ出力電流を検出する電流検出部と、
前記パワートランジスタが発生した熱を放熱する放熱用ヒートシンクと、
前記放熱用ヒートシンクの温度を検出する温度検出部と、
前記ヒートシンクを冷却するファンと、
前記電流検出部が検出した電流及び前記温度検出部が検出した温度が予め定めた値以上になったとき前記ファンを駆動するファン駆動回路と
を備えたことを特徴とする電気機器。
【請求項４】
熱を発生する電気回路の電流を検出するステップと、
電気回路が発生した熱を放熱する放熱用ヒートシンクの温度を検出するステップと、
検出した電流及び温度が予め定めた値以上になったとき送風部を駆動して放熱用ヒートシンクを冷却するステップと
を備えたことを特徴とする電気回路の冷却方法。
【発明の詳細な説明】
【技術分野】
【０００１】
本発明は、発熱する電気回路を冷却するための放熱機構を備えた電気機器、及び電気回路の冷却方法に関する。
【背景技術】
【０００２】
発熱する電気回路を備えた電気機器、例えば、オーディオ信号を増幅するオーディオパワーアンプ等の、出力レベルに対応して発熱量が変化しながら発熱する電気回路を冷却するために、出力素子であるパワートランジスタ等の温度とアンプ回路の出力信号レベルを制御条件として、冷却用ファンを駆動制御する電子機器冷却回路があった(特許文献１参照)。
【０００３】
【特許文献１】特開平９−２６４６４７号公報
【発明の開示】
【発明が解決しようとする課題】
【０００４】
アンプ回路の出力信号レベルを制御条件とした場合、アンプ回路に負荷が接続されていないときパワートランジスタにアイドリング電流だけが流れている場合であっても、その信号レベルが大きければ、ファンが回転駆動される。
特許文献１の装置は、このようなパワートランジスタにアイドリング電流だけが流れていて負荷電流が流れていないときに、ファンが回転駆動されることがありえる。
【０００５】
本発明の目的は、電気機器において、アンプ回路の出力素子、パワートランジスタ等の電気回路に負荷電流が流れている場合にのみ、検出した温度に応じてファンを駆動することにある。
【課題を解決するための手段】
【０００６】
本発明の第１の態様に係る電気機器は、
熱を発生する電気回路の電流を検出する電流検出部と、
前記電気回路が発生した熱を放熱する放熱用ヒートシンクと、
前記放熱用ヒートシンクの温度を検出する温度検出部と、
前記ヒートシンクを冷却する送風部と、
前記電流検出部が検出した電流及び前記温度検出部が検出した温度が予め定めた値以上になったとき前記送風部を駆動する送風部駆動回路と
を備える。
【０００７】
本発明の第２の態様に係る電気機器は、
電気信号を増幅するアンプ回路に供給される電力の電流を検出する電流検出部と、
前記アンプ回路が発生した熱を放熱する放熱用ヒートシンクと、
前記放熱用ヒートシンクの温度を検出する温度検出部と、
前記ヒートシンクを冷却するファンと、
前記電流検出部が検出した電流及び前記温度検出部が検出した温度が予め定めた値以上になったとき前記ファンを駆動するファン駆動回路と
を備える。
【０００８】
本発明の第３の態様に係る電気機器は、
パワートランジスタのエミッタ出力電流を検出する電流検出部と、
前記パワートランジスタが発生した熱を放熱する放熱用ヒートシンクと、
前記放熱用ヒートシンクの温度を検出する温度検出部と、
前記ヒートシンクを冷却するファンと、
前記電流検出部が検出した電流及び前記温度検出部が検出した温度が予め定めた値以上になったとき前記ファンを駆動するファン駆動回路と
を備える。
【０００９】
本発明の第４の態様に係る電気回路の冷却方法は、
熱を発生する電気回路の電流を検出するステップと、
電気回路が発生した熱を放熱する放熱用ヒートシンクの温度を検出するステップと、
検出した電流及び温度が予め定めた値以上になったとき送風部を駆動して放熱用ヒートシンクを冷却するステップと
を備える。
【発明の効果】
【００１０】
本発明の電気機器、及び電気回路の冷却方法によれば、熱を発生する電気回路に負荷電流が予め定めた値以上流れている場合にのみ、検出した温度が予め定めた値以上になったとき送風部を駆動することができる。
【発明を実施するための最良の形態】
【００１１】
図１は、本発明の電気機器の第１の実施形態の構成を示すブロック図である。
電流検出器１は、アンプ回路２に電力を供給する電力線Ｐに設けた電流検出用抵抗Ｒ１の両端に接続され電力線Ｐの電流を検出する。
アンプ回路２は、電力線Ｐを介して電力の供給を受け、入力信号線Inから入力される信号を増幅して出力する。アンプ回路２の出力には負荷抵抗RLが接続され、入力信号線Inから信号がアンプ回路２に入力されると、電力線Ｐには、アンプ回路２が負荷抵抗RLに出力するレベルに相応する電流が流れる。このとき、アンプ回路２の図示しない出力素子が発熱する。
【００１２】
放熱用のヒートシンク４は、アンプ回路２が発生した熱を外部に放熱するものであり、アンプ回路２の発熱部品又は発熱部分がヒートシンク４に接触されている。温度検出器３は、ヒートシンク４の温度を検出する。
【００１３】
電力線Ｐに電流が流れ、アンプ回路２の出力素子が発熱し、ヒートシンク４の温度が上昇したとき、電流検出器１は、電流の検出値が予め電流検出器１に設定された値を超えるとＯＮ信号を出力し、温度検出器３は、温度の検出値が予め温度検出器３に設定された値を超えるとＯＮ信号を出力する。
【００１４】
ＡＮＤ回路５は、電流検出器１と温度検出器３の両方からＯＮ信号が入力されるとＯＮ信号を出力する。ファン駆動回路６は、ＡＮＤ回路５からＯＮ信号が入力されると、ファン７を回転駆動する。ファン７は、ヒートシンク４に送風し冷却する。ヒートシンク４をファン７によって冷却することにより、アンプ回路２の出力素子の温度を下げることができる。
【００１５】
このように、第１の実施形態における電気機器は、熱を発生する電気回路として備えるアンプ回路２を、電力線Ｐに負荷電流が設定値以上流れている場合に、冷却することができる。
【００１６】
図２は、本発明の電気機器の第２の実施形態の構成を示すブロック図である。第２の実施例は、図１に示した第１の実施例に対して、アンプ回路２の出力素子として用いられるパワートランジスタ８、９をヒートシンク４に取り付けた構成である。図２において、図１に示した第１の実施例と共通の構成部分には同一の符号を付して、説明を省略する。
【００１７】
パワートランジスタ８、９のエミッタ抵抗には負荷抵抗RLが接続され、パワートランジスタ８、９に信号が入力されたとき、パワートランジスタ８、９のエミッタ抵抗に、負荷抵抗RLに出力するレベルに相応する電流が流れる。電流検出器１は、エミッタ抵抗Ｒ２の両端に接続され消費電流を検出する。
【００１８】
パワートランジスタ８、９は、ヒートシンク４に取り付けられている。ヒートシンク４は、パワートランジスタ８、９が発生した熱を外部に放熱する。パワートランジスタ８、９が発熱し、ヒートシンク４の温度が上昇したとき、電流検出器１は、電流の検出値が予め電流検出器１に設定された値を超えるとＯＮ信号を出力し、温度検出器３は,温度の検出値が予め温度検出器３に設定された値を超えるとＯＮ信号を出力する。
【００１９】
ＡＮＤ回路５は、電流検出器１と温度検出器３の両方からＯＮ信号が入力されるとＯＮ信号を出力し、ファン駆動回路６はファン７を回転駆動する。ヒートシンク４をファン７によって冷却することにより、パワートランジスタ８、９の温度を下げることができる。
【００２０】
このように、第２の実施形態における電気機器は、熱を発生する電気回路として備えるパワートランジスタ８、９を、エミッタ抵抗に負荷電流が設定値以上流れている場合に、冷却することができる。
【図面の簡単な説明】
【００２１】
【図１】本発明の電気機器の第１の実施形態の構成を示すブロック図である。
【図２】本発明の電気機器の第２の実施形態の構成を示すブロック図である。
【符号の説明】
【００２２】
１  電流検出器
２  アンプ回路
３  温度検出器
４  ヒートシンク
５  ＡＮＤ回路
６  ファン駆動回路
７  ファン
８、９  パワートランジスタ
【図１】
2008177210.tif 000003
【図２】
2008177210.tif 000004